(57)【要約】【課題】製造コストの上昇を抑えつつ、単純な構成で、紫外線治療のための測定を安全、且つ、正確に行うことが可能な紫外線治療用照射量測定具を提供する。【解決手段】中空導光管と、前記中空導光管の一方の端面に設けられた紫外線発光ダイオードと、前記中空導光管の他方の端面に設けられた紫外線吸収体と、を備え、前記中空導光管の側面には、前記一方の端面から前記他方の端面に向かって一列に、互いに同じ形状及び大きさを有する複数の開口部が等間隔で設けられている、紫外線治療用照射量測定具を提供する。【選択図】図２
2018007884.tif 000002
【特許請求の範囲】
【請求項１】
中空導光管と、
前記中空導光管の一方の端面に設けられた紫外線発光ダイオードと、
前記中空導光管の他方の端面に設けられた紫外線吸収体と、
を備え、
前記中空導光管の側面には、前記一方の端面から前記他方の端面に向かって一列に、互いに同じ形状及び大きさを有する複数の開口部が等間隔で設けられている、
紫外線治療用照射量測定具。
【請求項２】
前記一方の端面から、前記一方の端面に最も近接する前記開口部までの長さは、２５ｍｍ以上である、請求項１に記載の紫外線治療用照射量測定具。
【請求項３】
前記中空導光管の厚みは、０．５ｍｍ以下である、請求項１又は２に記載の紫外線治療用照射量測定具。
【請求項４】
前記紫外線発光ダイオードは、互いに中心波長が異なる複数の発光素子を含み、前記複数の発光素子は、前記一方の端面上に、前記一方の端面の中心からの距離が等しくなるように設けられる、請求項１から３のいずれか１項に記載の紫外線治療用照射量測定具。
【請求項５】
前記中空導光管の断面は長方形状又は正方形状を有する、請求項１から４のいずれか１項に記載の紫外線治療用照射量測定具。
【請求項６】
前記開口部は正方形状を有する、請求項１から５のいずれか１項に記載の紫外線治療用照射量測定具。
【請求項７】
前記中空導光管は、内壁を紫外線反射素材で被覆した樹脂材料から形成される、請求項１から６のいずれか１項に記載の紫外線治療用照射量測定具。
【請求項８】
前記中空導光管は、金属材料から形成される、請求項１から６のいずれか１項に記載の紫外線治療用照射量測定具。
【請求項９】
前記金属材料はアルミニウムである、請求項８に記載の紫外線治療用照射量測定具。
【請求項１０】
前記中空導光管の内壁は紫外線反射加工表面からなる、請求項１から９のいずれか１項に記載の紫外線治療用照射量測定具。
【請求項１１】
前記紫外線吸収体は、紫外線を吸収して熱に変換する材料から形成される、請求項１から１０のいずれか１項に記載の紫外線治療用照射量測定具。
【請求項１２】
前記中空導光管を覆う保護カバーをさらに備える、請求項１から１１のいずれか１項に記載の紫外線治療用照射量測定具。
【請求項１３】
前記保護カバーは金属材料から形成される、請求項１２に記載の紫外線治療用照射量測定具。
【発明の詳細な説明】
【技術分野】
【０００１】
本発明は、紫外線治療用照射量測定具に関する。
【背景技術】
【０００２】
アトピー性皮膚炎等の皮膚疾患に対する治療として、紫外線照射治療が用いられる。詳細には、紫外線照射治療とは、医師によって、例えば、２８０〜３２０ｎｍの波長を持つＵＶ(ｕｌｔｒａｖｉｏｌｅｔ)−Ｂ波や、３２０〜４００ｎｍの波長を持つＵＶ−Ａ波等を該当する皮膚疾患に照射することによって実施される。
【０００３】
紫外線は人体に有害な波長域の光でもあるため、治療として紫外線照射を実施するにあたり、施術する医師は、紫外線照射量、照射時間等に対して最新の注意を払って行う必要がある。また、紫外線が照射される皮膚の性質についても、当然患者ごとに個人差があり、すなわち、紫外線に対して耐性のある肌質を持つ患者や、あるいは、紫外線に対して敏感な肌質を持つ患者がいる。そこで、医師は、施術前に患者の皮膚の性質を的確に把握し、把握した性質に基づき紫外線照射量を決定し、施術を行うこととなる。例えば、紫外線に対する患者の皮膚の性質を把握するために、医師は、施術前に、紫外線治療用照射量測定具を用いて患者の皮膚に段階的に照射量の異なるＵＶ−Ｂ波を照射し、照射終了時から一定時間後の皮膚の状態を検査することにより、最小紅斑量（２４時間後に皮膚に紅斑を生じさせるのに必要な最小照射量のこと）を測定する。同様に、医師は、患者の皮膚に所定の薬品（例えば、軟膏等）を塗布した後、最小紅斑量の測定と同様に、照射量測定具を用いて患者の皮膚に段階的に照射量の異なるＵＶ−Ａ波を照射し、照射から一定時間後の皮膚の状態を検査することにより、最小光毒量（皮膚に光毒性反応をもたらすのに必要な最小照射量のこと）を測定する。そして、医師は、このような測定で得た最小紅斑量及び最小光毒量を参照して、施術する際の紫外線照射量を決定する。
【０００４】
上記測定に用いられる照射量測定具としては、例えば、下記特許文献１に開示された照射量測定具９０を挙げることができる。詳細には、当該照射量測定具９０は、図１２に示すように、紫外線光源（エキシマランプ）を内蔵する筐体９２を有し、筐体９２の照射面（患者の皮膚と対向する面）９４には、片側５個ずつ２列に等大の開口部９６ａ〜９６ｅ、９６ｆ〜９６ｊが等間隔をおいて設けられている。これら１０個の開口部９６ａ〜９６ｊは、筐体９２から均等に紫外線を放射するための開口としての役割を有する。また、照射量測定具９０は、スライド移動可能に設けられた、各々、照射面９４の片側５個ずつの開口部９６ａ〜９６ｅ及び開口部９６ｆ〜９６ｊに対応する２つのシャッタ９８ａ、９８ｂを有する。
【０００５】
そして、上記照射量測定具９０を用いた測定の際には、医師は、各開口部９６ａ〜９６ｊが開放された状態で照射量測定具９０の照射面９４を、患者の背中、太もも、腕の内側等の比較的日光を受けていない皮膚に向けるようにして、当該照射量測定具９０を患者の皮膚上に載置する。さらに、医師は、一方のシャッタ９８ａをスライドさせて(シャッタ９８は、図１２中の矢印で示す方向にスライド可能である)、一定時間（例えば、数１０秒）ごとに１個ずつ開口部９６ａ〜９６ｅを閉じていく。さらに、片側５個の開口部９６ａ〜９６ｅを閉じ終った後には、当該医師は、他方のシャッタ９８ｂも同様にスライドさせてすべての開口部９６ｆ〜９６ｊを閉じていき、紫外線照射を終了する。上記紫外線照射の際、すべての開口部９６ａ〜９６ｆから均等な強度で紫外線は照射されており、さらに、開口部９６ａ〜９６ｊがシャッタ９８ａ、９８ｂにより閉じられるタイミングが互いに異なる。従って、各開口部９６ａ〜９６ｊを介して照射される紫外線の照射量は、照射強度と照射時間の積にあたることとなり、紫外線の照射開始時点からシャッタ９８ａ、９８ｂが閉じられるまでの時間に応じて、段階的に変化する。その後、当該医師は、所定時間（例えば、数１０時間）経過後、紫外線が照射された患者の皮膚のうち、各開口部９６ａ〜９６ｊと対向する箇所の色調を観察し、観察した皮膚の色調、及び、その箇所に対応する照射量を参照して、最小紅斑量等を決定する。
【先行技術文献】
【特許文献】
【０００６】
【特許文献１】特開２００６−０００３８３号公報
【発明の概要】
【発明が解決しようとする課題】
【０００７】
ところで、上記特許文献１に開示された照射量測定具９０においては、紫外線光源としてエキシマランプが用いられていた。しかしながら、エキシマランプは、高価であることから、照射量測定具の製造コストが上昇するという問題があった。さらに、エキシマランプは表面温度が１００℃以上と高いため、患者のやけどを避けるために、エキシマランプを内蔵する当該照射量測定具９０は、十分に注意して取り扱うことが求められる。
【０００８】
また、上記照射量測定具９０では、シャッタ９８ａ、９８ｂをスライドさせて順次開口部９６ａ〜９６ｊを閉じる操作を計時しながら人手により行うため、計時ミスや操作遅れが生じやすい。従って、各開口部９６ａ〜９６ｊから照射される照射量は所望の照射量に正確に一致しているとは限らず、その結果、正確な測定結果が得難いという問題があった。さらに、シャッタ９８ａ、９８ｂを電動式し、自動的にシャッタ９８ａ、９８ｂを制御することも考えられるが、このようにした場合、照射量測定具の構造が、複雑、且つ、大型化し、ひいては、照射量測定具の製造コストが上昇することとなる。
【０００９】
そこで、本発明は、上記問題に鑑みてなされたものであり、本発明の目的とするところは、製造コストの上昇を抑えつつ、単純な構成で、紫外線治療のための測定を安全、且つ、正確に行うことが可能な、新規かつ改良された紫外線治療用照射量測定具を提供することにある。
【課題を解決するための手段】
【００１０】
上記課題を解決するために、本発明のある観点によれば、中空導光管と、前記中空導光管の一方の端面に設けられた紫外線発光ダイオードと、前記中空導光管の他方の端面に設けられた紫外線吸収体とを備え、前記中空導光管の側面には、前記一方の端面から前記他方の端面に向かって一列に、互いに同じ形状及び大きさを有する複数の開口部が等間隔で設けられている、紫外線治療用照射量測定具が提供される。
【００１１】
前記一方の端面から、前記一方の端面に最も近接する前記開口部までの長さは、２５ｍｍ以上であってもよい。
【００１２】
前記中空導光管の厚みは０．５ｍｍ以下であってもよい。
【００１３】
前記紫外線発光ダイオードは、互いに中心波長が異なる複数の発光素子を含み、前記複数の発光素子は、前記一方の端面上に、前記一方の端面の中心からの距離が等しくなるように設けられてもよい。
【００１４】
前記中空導光管の断面は長方形状又は正方形状を有してもよい。
【００１５】
前記開口部は正方形状を有してもよい。
【００１６】
前記中空導光管は、内壁を紫外線反射素材で被覆した樹脂材料から形成されてもよい。
【００１７】
前記中空導光管は、金属材料から形成されてもよい。
【００１８】
前記金属材料はアルミニウムであってもよい。
【００１９】
前記中空導光管の内壁は紫外線反射加工表面からなるようにしてもよい。
【００２０】
前記紫外線吸収体は、紫外線を吸収して熱に変換する材料から形成されてもよい。
【００２１】
紫外線治療用照射量測定具は、前記中空導光管を覆う保護カバーをさらに備えてもよい。
【００２２】
前記保護カバーは金属材料から形成されてもよい。
【発明の効果】
【００２３】
以上説明したように本発明によれば、製造コストの上昇を抑えつつ、単純な構成で、紫外線治療のための測定を安全、且つ、正確に行うことが可能な紫外線治療用照射量測定具を得ることができる。
【図面の簡単な説明】
【００２４】
【図１】本発明の実施形態に係る照射量測定具１０を説明するための斜視図である。
【図２】同実施形態に係る照射量測定具１０を説明するための分解図である。
【図３】同実施形態に係る照射量測定具１０における光の経路を説明するための説明図である。
【図４】同実施形態に係る照射量測定具１０において、開口部２４ａの位置に対する、開口部２４内の照射強度の均一性等を検討した検討結果（２０ｍｍ）を示す図及び画像写真である。
【図５】同実施形態に係る照射量測定具１０において、開口部２４ａの位置に対する、開口部２４内の照射強度の均一性等を検討した検討結果（２５ｍｍ）を示す図及び画像写真である。
【図６】同実施形態に係る照射量測定具１０において、開口部２４ａの位置に対する、開口部２４内の照射強度の均一性等を検討した検討結果（３０ｍｍ）を示す図及び画像写真である。
【図７】中空導光管１２を長軸に沿って切断した際の開口部２４近傍を拡大した拡大断面図である。
【図８】同実施形態に係る照射量測定具１０において、中空導光管１２ａの厚みに対する、開口部２４内の照射強度の均一性を検討した検討結果（０．７ｍｍ）を示す図及び画像写真である。
【図９】同実施形態に係る照射量測定具１０において、中空導光管１２ａの厚みに対する、開口部２４内の照射強度の均一性を検討した検討結果（０．５ｍｍ）を示す図及び画像写真である。
【図１０】同実施形態に係る照射量測定具１０において、中空導光管１２ａの厚みに対する、開口部２４内の照射強度の均一性を検討した検討結果（０．３ｍｍ）を示す図及び画像写真である。
【図１１】同実施形態に係る照射量測定具１０を用いた測定方法を説明するための説明図である。
【図１２】従来技術の照射量測定具９０の平面図である。
【発明を実施するための形態】
【００２５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じて開口部２４ａ及び開口部２４ｂのように区別する。ただし、実質的に同一の機能構成を有する複数の構成要素の各々を特に区別する必要がない場合、同一符号のみを付する。例えば、開口部２４ａ及び開口部２４ｂを特に区別する必要が無い場合には、単に開口部２４と称する。
【００２６】
以下においては、紫外線治療にあたり最小紅斑量、最小光毒量を測定するための紫外線治療用照射量測定具に適用した場合の実施形態を説明する。なお、本発明の実施形態は、最小紅斑量、最小光毒量を測定するための照射量測定具に適用することに限定されるものではなく、紫外線治療にあたり必要とされる他の医学的指標を測定するための照射量測定具に適用してもよい。
【００２７】
＜照射量測定具１０の基本構成＞
まずは、本発明の実施形態に係る照射量測定具（紫外線治療用照射量測定具）１０の基本構成を示した説明図である図１及び図２を参照して、照射量測定具１０の基本構成について説明する。なお、図１は、本発明の実施形態に係る照射量測定具１０を説明するための斜視図であり、図２は、本実施形態に係る照射量測定具１０を説明するための分解図である。
【００２８】
本実施形態に係る照射量測定具１０は、先に説明したように、紫外線に対する患者の皮膚の性質を把握するために、医師が、患者の皮膚に段階的に照射量の異なる紫外線を照射し、照射から一定時間後の皮膚の状態を検査することにより、最小紅斑量等を測定する際に用いる測定具である。以下に説明する本実施形態に係る照射量測定具１０は、最小紅斑量及び最小光毒量を測定するために、それぞれ６段階の照射量を持つＵＶ−Ａ波及びＵＶ−Ｂ波の紫外線を一度に患者の皮膚に照射することができる測定具として説明する。なお、本実施形態においては、例えば、６段階の照射量を持つ紫外線を一度に照射することが可能な測定具に限定されるものではなく、任意の数の段階の照射量をそれぞれ持つ複数種の紫外線を照射できる測定具であれば、特に限定されるものではない。
【００２９】
照射量測定具１０は、図１に示すように直方体形状を有し、詳細には、縦１３ｍｍ程度、横２８ｍｍ程度の長さの辺を有する長方形の断面を有し、長さ１４２ｍｍ程度の略直方体形状を有する。なお、照射量測定具１０の断面は、長方形に限定されるものではなく、正方形であってもよい。また、照射量測定具１０の大きさは、医師によって、照射量測定具１０を、医師が所望する患者の皮膚部分に載置することができる大きさであって、且つ、所望の測定を実施することが可能な大きさであれば、特に限定されるものではない。しかしながら、医師による照射量測定具１０の取扱の容易性の確保することを鑑みると、上述するような大きさであることが好ましい。また、照射量測定具１０の４つの側面の内の１つの側面は、患者の皮膚に紫外線を照射する際に患者の皮膚に対向する照射面２８にあたり、照射面２８には、片側６個ずつ２列に等大の開口部２６ａ〜２６ｆ、２６ｇ〜２６ｍが等間隔をおいて設けられている。なお、これら開口部２６ａ〜２６ｍの詳細については、後で説明する。
【００３０】
図２に示すように、照射量測定具１０は、２つの中空導光管１２ａ、１２ｂと、紫外線発光ダイオード（紫外線ｌｉｇｈｔ  Ｅｍｉｔｔｉｎｇ  Ｄｉｏｄｅ）１６と、紫外線吸収体１８と、保護カバー２０とを主に有する。詳細には、照射量測定具１０においては、２つの中空導光管１２ａ、１２ｂが筒状の保護カバー２０に内包されており、中空管である中空導光管１２ａ、１２ｂの各端部には、紫外線発光ダイオード１６と紫外線吸収体１８とがそれぞれ設けられている。以下に、照射量測定具１０の各構成要素の詳細について説明する。
【００３１】
（中空導光管１２）
中空導光管１２は、図２に示すように、正方形状の断面を持つ中空管であり、例えば、一辺１２ｍｍ程度の正方形状の断面を有する、長さ１４０ｍｍ程度の中空管である。なお、中空導光管１２の断面は、正方形に限定されるものではなく、長方形であってもよい。また、中空導光管１２の大きさは、照射量測定具１０の大きさを定めるものであり、従って、中空導光管１２を備える照射量測定具１０を、医師が所望する患者の皮膚部分に載置することができる大きさであって、且つ、上記測定を行うために必要な紫外線照射を行うための複数の開口部２４を設けることができれば、特に限定されるものではない。
【００３２】
各中空導光管１２の両端は、後述する紫外線発光ダイオード１６側の端面１４ａと、後述する紫外線吸収体１８側の端面１４ｂとによって、それぞれ閉塞されている。なお、図２においては端面１４ａ、１４ｂは正方形の平板形状の部材として開示されているが、本実施形態においては、特に形状については平板形状に限定されるものではなく、他の形状であってよい。例えば、後述する紫外線発光ダイオード１６側の端面１４ａは、Ｌ字形状の中空管であってもよく、この場合、当該中空管の一方の端部は、中空管の内壁が中空導光管１２の内壁に連続するように、中空導光管１２に接続され、当該中空管の他方の端部は、紫外線発光ダイオード１６側の端面によって閉塞される。端面１４ａ側をＬ字型形状の中空管にすることにより、照射量測定具１０を患者の皮膚に載置した際、熱を持つ可能性のある紫外線発光ダイオード１６を患者の皮膚からより遠くに位置させ、照射量測定具１０の安全性を高めることができる。
【００３３】
中空導光管１２は、金属材料（例えば、アルミニウム、ステンレス（ＳＵＳ））、又は、内壁を紫外線反射素材で被覆した樹脂材料から、成型、プレス加工等により形成されることが好ましい。また、上述の金属材料又は紫外線反射素材は、紫外線によって劣化し難く、且つ、紫外線を反射しやすい材料であることが好ましく、より具体的には、例えば、アルミニウムであることがより好ましい。また、中空導光管１２の厚みは、中空導光管１２に設けられた各開口部２４からの紫外線が各開口部２４内で均一な照射強度を持つように、０．５ｍｍ以下であることが好ましい。なお、中空導光管１２の厚みについては、後で詳細に説明する。また、中空導光管１２の内壁は、効率よく照射量測定具１０から紫外線を出射するために、紫外線を反射する紫外線反射加工された表面であることが好ましく、例えば、中空導光管１２の内壁に対して所望の研磨またはコーティングを行うことにより、紫外線反射加工表面とすることができる。
【００３４】
中空導光管１２の４つの側面のうち、照射量測定具１０の照射面２８と向かい合う側面は、中空導光管１２の照射面２２と称し、この照射面２２には、図２に示すように、複数の開口部２４が等間隔で設けられている。この開口部２４は、中空導光管１２から紫外線を出射するための開口であり、１個の開口部２４から出射される紫外線は、均一に患者皮膚に照射される。詳細には、中空導光管１２ａの照射面２２には、同じ形状及び大きさを有する６個の開口部２４ａ〜２４ｆが一定間隔（例えば、５から１５ｍｍ程度）で一列に並ぶように設けられている。また、中空導光管１２ｂの照射面２２にも、中空導光管１２ａと同様に、同じ形状及び大きさを有する６個の開口部２４ｆ〜２４ｍが一定間隔で一列に並ぶように設けられている。なお、図２においては、照射量測定具１０を６段階の照射量の紫外線を一度に患者の皮膚に照射することができる測定具とするため、６個の開口部２４を設けているが、本実施形態においては、開口部２４の数は特に限定されるものではなく、測定の精度を高めるために１０段階の紫外線照射量とするために１０個の開口部２４を設けるというように、所望する照射量の段階数に応じた数の開口部２４を設けることができる。
【００３５】
また、中空導光管１２ａ、１２ｂに設けられた各開口部２４は、互いに同じ形状、大きさ及び間隔を有することが好ましい。後で説明するように、開口部２４の開口の大きさは、紫外線が照射される患者の皮膚の測定部位の面積に対応する。また、測定においては医師が当該測定部位における皮膚の変色状態を観察することから、開口部２４の開口の大きさは、変色状態を確実に目視することが可能な広さの測定部位を確保できるように選択することが好ましい。例えば、開口部２４は、１辺が１０ｍｍ角程度の角孔である。
【００３６】
隣り合う開口部２４の間隔についても、各開口部２４から出射される紫外線の照射強度を各開口部２４の紫外線発光ダイオード１６からの距離に応じて所望の差を持って段階的に減少させることができるような長さであることが好ましい。さらに、開口部２４の間隔は、所望する数の開口部２４を中空導光管１２の照射面２２に設けることができ、且つ、複数の開口部２４のうち、後述する紫外線発光ダイオード１６から最も遠くに位置する開口部２４ｆ（２４ｍ）から照射される紫外線の照射強度を所望の値とすることができれば、特に限定されるものではない。また、紫外線発光ダイオード１６が設けられた端面１４ａに最も近接する開口部２４ａ（２４ｇ）は、端面１４ａから２５ｍｍ以上離れるように設けられることが好ましい。これら開口部２４ａ〜２４ｍは、後述する保護カバー２０に設けられた開口部２６ａ〜２６ｍと同じ大きさの開口であり、その位置も、保護カバー２０の開口部２６ａ〜２６ｍの位置を一致する。なお、開口部２４の位置の詳細については、後で説明する。
【００３７】
（紫外線発光ダイオード１６）
中空導光管１２の一方の端面１４ａの内側（すなわち、中空導光管１２の中空部と向かい合う面側）には、図２に示すように、複数の紫外線発光ダイオード（発光素子）１６が設けられている。すなわち、本実施形態に係る照射量測定具１０においては、紫外線光源として、安価な紫外線発光ダイオード１６を用いることにより、照射量測定具１０の製造コストを抑えることができる。さらに、紫外線発光ダイオード１６は、従来の照射量測定具で用いられていたエキシマランプ（表面温度１００℃以上）に比べて、表面温度が５０℃以下と低いことから安全性が高い。詳細には、エキシマランプを内蔵した照射量測定具を患者の皮膚上に載置して使用する際には、患者の火傷を避けるために、照射量測定具の取扱には高度な注意が求められる。一方、本実施形態に係る紫外線発光ダイオード１６を内蔵する照射量測定具１０の場合には、表面温度が低いことから、エキシマランプを内蔵した照射量測定具のような取扱の上での高度な注意が求められず、従って、照射量測定具１０の取扱は容易となる。
【００３８】
具体的には、中空導光管１２ａをＵＶ−Ａ波の紫外線照射用の導光管とした場合には、中空導光管１２ａの端面１４ａの内側の面（すなわち、中空導光管１２の中空部と向かい合う面）上のうち、正方形の端面１４ａの四隅近傍であって、当該正方形の中心から等距離になる４つの位置に、３２０ｎｍから４００ｎｍの範囲の中心波長をもち、互いに中心波長が異なる４個の紫外線発光ダイオード１６が設けられる。さらに、中空導光管１２ｂをＵＶ−Ｂ波の紫外線照射用の導光管とした場合には、中空導光管１２ａと同様に、中空導光管１２ｂの端面１４ａ上に、２８０ｎｍから３２０ｎｍの範囲の中心波長をもち、互いに中心波長が異なる４個の紫外線発光ダイオード１６が設けられる。本実施形態に係る照射量測定具１０においては、複数の紫外線発光ダイオード１６を上述のようにマトリックス状に配置して、各紫外線発光ダイオード１６から出射される光を互いに重ね、複数の紫外線発光ダイオード１６を１個の２次元に広がる面光源のようにすることにより、測定において求められる紫外線の照射強度を確保している。さらに、本実施形態に係る照射量測定具１０においては、異なる波長を持つ複数の紫外線発光ダイオード１６を用いることで、自然界において皮膚に照射される紫外線のバンド幅とほぼ同じバンド幅を持つ紫外線（もしくは、エキシマランプを内蔵する従来の照射量測定具から照射される紫外線のバンド幅とほぼ同じバンド幅を持つ紫外線）を照射量測定具１０から照射することができる。
【００３９】
（紫外線吸収体１８）
各中空導光管１２の他方の端面１４ｂの内側の面の全体には、紫外線吸収体１８が設けられている。詳細には、紫外線吸収体１８は、２００ｎｍから５００ｎｍの波長を持つ紫外線を吸収し、吸収した紫外線を熱に変換する材料から形成され、例えば、紫外線吸収ガラスから形成される。なお、端面１４ｂに到達した紫外線が紫外線吸収体１８によって吸収されることから、端面１４ｂにおいて反射され開口部２４側へ伝播することを避けることができ、各開口部２４から照射される紫外線の照射強度を所望の値にすることができる。従って、開口部２４から出射されることなく端面１４ｂに到達した紫外線を吸収するために、紫外線吸収体１８は、端面１４ｂの内側の面の全体を覆うように設けられることが好ましい。
【００４０】
（保護カバー２０）
保護カバー２０は、先に説明したように、２個の中空導光管１２を覆い、保護するための筒状のカバーである。保護カバー２０は、例えば、図１及び図２に示すように、２個の中空導光管１２を内包することができる長方形状の断面を有する筒状のカバーであり、照射量測定具１０の外形を定めるものである。保護カバー２０は、なるべく中空導光管１２との間に隙間を作ることないような大きさ及び形状を持つ空間をその内部に有することが好ましく、特に、保護カバー２０の開口部２６が設けられた照射面２８と、中空導光管１２の開口部２４が設けられた照射面２２との間には、隙間がないことが好ましい。
【００４１】
保護カバー２０は、外部から与えられる衝撃等から中空導光管１２を守るために、衝撃等に対して耐性のある材料により形成されることが好ましく、さらに、患者の汗や薬品等による劣化等を避けるために、ステンレス（例えばＳＵＳ３０４）等の金属材料から形成されることが好ましい。保護カバー２０は、このような金属材料を成型、プレス加工等することにより形成される。また、保護カバー２０の厚みは、中空導光管１２の開口部２４から出射された紫外線が照射量測定具１０の外部へのさらに出射することを妨げないように、薄いことが好ましく、例えば、０．５ｍｍから１ｍｍであることが好ましい。
【００４２】
また、保護カバー２０の４つの側面のうち、患者の皮膚に紫外線を出射する際に患者の皮膚に対向する側面は、照射面２８と称され、内包する中空導光管１２ａ、１２ｂの照射面２２と対向する。この照射面２８には、図１及び図２に示すように、複数の開口部２６が設けられている。詳細には、照射面２８には、片側６個ずつ２列に等大の開口部２６ａ〜２６ｆ、２６ｇ〜２６ｍが等間隔をおいて設けられている。開口部２６は、中空導光管１２の各開口部２４ａ〜２４ｍから出射された紫外線を照射量測定具１０の外部へ導くための開口である。従って、各開口部２６は、中空導光管１２ａ、１２ｂの開口部２４の形状及び大きさが同じく、中空導光管１２ａ、１２ｂの各開口部２４と対応するように、すなわち、開口部２６の開口の中心が開口部２４の開口の中心にほぼ一致するように設けられている。
【００４３】
保護カバー２０の両端は、図２に示すように、長方形の平板形状の部材である端面２０ａ、２０ｂによって、それぞれ閉塞されている。詳細には、一方の端面２０ａは、２つの中空導光管１２ａ、１２ｂの各端面１４ａを支持しつつ各端面１４ａを覆うように設けられる。他方の端面２０ｂは、２つの中空導光管１２ａ、１２ｂの各端面１４ｂを支持しつつ各端面１４ｂを覆うように設けられる。なお、図２においては端面２０ａ、２０ｂは長方形の平板形状の部材として開示されているが、本実施形態においては、特に形状については長方形の平板形状に限定されるものではなく、他の形状であってよい。
【００４４】
なお、中空導光管１２が衝撃等に対する耐性を有する材料から形成されている場合には、保護カバー２０を設けなくてもよい。この場合、２個の中空導光管１２ａ、１２ｂは、例えば、これらを結合する結合部材によって結合されることとなる。ただし、中空導光管１２ａ、１２ｂを紫外線反射性が優れるアルミニウムから形成した場合には、その厚みが非常に薄いため、衝撃等に対して耐性を確保することが難しい。さらには、アルミニウムは非常に柔らかい材料であるため、中空導光管１２ａ、１２ｂを所望の形状に維持することが難しい。従って、中空導光管１２ａ、１２ｂに破損や変形を生じることを避けるために、中空導光管１２ａ、１２ｂを保護するための保護カバー２０を設けることが好ましい。
【００４５】
また、本実施形態に係る照射量測定具１０は、照射面２８以外の側面に、紫外線の照射を開始し、且つ、停止するための操作ボタン（図示省略）が設けられていてもよく、また、同様に、紫外線の照射の照射強度や照射時間等を制御するための更なる操作ボタン（図示省略）が設けられていてもよい。もしくは、本実施形態に係る照射量測定具１０は、照射量測定具１０の外部に設けられた操作部（図示省略）と配線等により連結されていてもよく、この場合、当該操作部に、紫外線の照射を開始し、且つ、停止するための操作ボタンや、紫外線の照射の照射強度や照射時間等を制御するための操作ボタン又は操作ダイヤルが設けられる。
【００４６】
上述の本実施形態に係る照射量測定具１０は、ＵＶ−Ａ波及びＵＶ−Ｂ波の紫外線を一度に患者の皮膚に照射することができる測定具として説明したが、本実施形態においては、照射量測定具１０は、２種類の波長域の紫外線を一度に照射する測定具に限定されるものではなく、１種又は複数種の波長域の紫外線を一度に照射する測定具であれば特に限定されない。例えば、照射量測定具１０は、１種類の波長域（ＵＶ−Ａ波又はＵＶ−Ｂ波）の紫外線を照射する測定具であってもよい。この場合には、照射量測定具１０の有する中空導光管１２の数は１個となる。また、本実施形態に係る照射量測定具１０は、図１及び図２に示す形態に限定されるものではなく、照射量測定具１０の動作及び製造工程において許容される程度に変形されていてもよい。
【００４７】
なお、本実施形態に係る照射量測定具１０は、金属板のような所望の材料に対して、既知の方法を用いて、切断加工、プレス加工、研磨加工等を行い、さらに、市販の紫外線発光ダイオード１６等を取り付けることにより、作成することができる。なお、照射量測定具１０の作成の際には、加工、取り付け等については、高い精度を持って実施することが好ましい。
【００４８】
＜開口部２４の位置について＞
以上、本実施形態に係る照射量測定具１０の基本構成を説明した。続いて、本実施形態に係る照射量測定具１０における、中空導光管１２の複数の開口部２４の位置、特に、紫外線発光ダイオード１６が設けられた端面１４ａに最も近接する開口部２４ａ（２４ｇ）の位置について、図３を参照して説明する。図３は、本実施形態に係る照射量測定具１０の中空導光管１２ａにおける光の経路を説明するための説明図である。
【００４９】
ところで、本実施形態に係る照射量測定具１０においては、適切に測定を実施するために、中空導光管１２に設けられた各開口部２４ａ〜２４ｆからの紫外線が、各開口部２４ａ〜２４ｆ内で均一な照射強度を持ちつつ、端面１４ａからの各開口部２４ａ〜２４ｆの距離に応じて段階的に照射強度が減衰していくことが求められている。そこで、本実施形態に係る照射量測定具１０においては、紫外線発光ダイオード１６から出射された紫外線を、直接各開口部２４ａ〜２４ｆから出射させるのではなく、何度か中空導光管１２の内壁で反射させた後に、各開口部２４ａ〜２４ｆから出射させるようにすることで、均一、且つ、段階的に照射強度が減衰した紫外線の照射を実現した。
【００５０】
詳細には、紫外線発光ダイオード１６は、他の波長域の同程度の照射強度を持つ発光ダイオードに比べて、発光面が広く、光が広い範囲に広がりやすい（紫外線発光ダイオード１６は、他の波長域の発光ダイオードに比べて、光源の光軸（強度最大値）を基準とする光路の広がり角度（最大強度に対する半分の光強度の範囲）が大きい。例えば、本実施形態で使用した紫外線発光ダイオード１６の広がり角度は、約１３０度である）。従って、紫外線発光ダイオード１６から出射された紫外線は、紫外線発光ダイオード１６から近い位置にある中空導光管１２ａの内壁部分に到達し、反射されることとなる。さらに、図３に示すように、紫外線は、中空導光管１２ａの中を端面１４ｂの紫外線吸収体１８に向かって進むことになる。その際、紫外線は、中空導光管１２の内壁で反射を繰り返し、均一な強度分布を持つ光線として中空導光管１２ａ中を進むこととなる。例えば、紫外線発光ダイオード１６から出射された紫外線を内壁での反射を経ることなく開口部２４から直接出射させた場合には、当該紫外線は、内壁の反射を経た紫外線と比べてその強度は高くなるものの、光線の広がりが狭いため、開口部２４の開口の大きさを非常に小さくしない限りは開口部２４内で均一な強度を持つことは難しい。そこで、本実施形態においては、紫外線発光ダイオード１６から出射された紫外線を、直接各開口部２４ａ〜２４ｆから出射させるのではなく、何度か中空導光管１２の内壁で反射させた後に、各開口部２４ａ〜２４ｆから出射させている。
【００５１】
さらには、紫外線は、中空導光管１２の内壁で反射を繰り返し、その一部を各開口部２４ａ〜２４ｆからの出射されることを繰り返すこととなるため、端面１４ａから遠ざかるにつれ、その強度は連続的に減衰することとなる。従って、各開口部２４ａ〜２４ｆから出射される紫外線の照射強度は、各開口部２４ａ〜２４ｆが端面１４ａから遠ざかるにつれ、段階的に減少する。その結果、各開口部２４ａ〜２４ｆの位置や間隔を適切に選択することにより、段階的に照射強度の異なる紫外線を一度に患者の皮膚に照射することができる照射量測定具１０を得ることができる。
【００５２】
さらに、本発明者は、中空導光管１２に設けられた各開口部２４ａ〜２４ｆからの紫外線が、各開口部２４ａ〜２４ｆ内で均一な照射強度を持ちつつ、端面１４ａからの各開口部２４ａ〜２４ｆの距離に応じて段階的に均等に照射強度が減衰していくように、紫外線発光ダイオード１６が設けられた端面１４ａに最も近接する開口部２４ａの位置について、光学シミュレーションを用いて鋭意検討した。
【００５３】
詳細には、検討した照射量測定具１０に係る中空導光管１２ａは、図２に示すような形状を有し、詳細には、一辺１２ｍｍの正方形状の断面を有する、長さ１４０ｍｍの中空管であり、内側が紫外線反射加工されたアルミニウムから形成されたものとする。当該中空導光管１２ａの厚みは、０．１ｍｍとした。また、当該照射量測定具１０においては、紫外線発光ダイオード１６や紫外線吸収体１８については、図２に示すように設けるものとする。さらに、当該中空導光管１２ａの照射面２２には、１辺が１０ｍｍである正方形の６個の開口部２４ａ〜２４ｆを１０ｍｍ間隔で一列に並ぶように設けるものとする。また、紫外線発光ダイオード１６が設けられた端面１４ａに最も近接する開口部２４ａの位置を、端面１４ａからの距離にして２０ｍｍ、２５ｍｍ及び３０ｍｍとした、異なる３つの中空導光管１２ａを用いた。
【００５４】
以下、検討結果を図４から図６を参照して説明する。図４から図６は、本実施形態に係る照射量測定具１０において、開口部２４ａの位置に対する、開口部２４内の照射強度の均一性等を検討した検討結果を示す説明図及び写真である。詳細には、図４から図６においては、その上段に、各開口部２４ａ〜２４ｆ内における紫外線の強度分布を模式的に色の濃淡で示した画像の写真が示され、その下段に、端面１４ａからの距離と各開口部２４ａ〜２４ｆから出射される紫外線強度の関係を示すグラフが示されている。また、当該グラフの横軸は、端面１４ａからの距離を示し、縦軸は紫外線強度を示す。
【００５５】
まず、端面１４ａに最も近接する開口部２４ａを、端面１４ａから２０ｍｍ離れた位置に設けた場合の検討結果を、図４を参照して説明する。図４は、端面１４ａに最も近接する開口部２４ａを端面１４ａから２０ｍｍ離れた位置に設けた場合の検討結果を示す。図４の上段に示されるように、２０ｍｍの場合には、紫外線の強度は各開口部２４ａ〜２４ｆ内で均一に分布していないことがわかる。また、下段のグラフに示されているように、各開口部２４ａ〜２４ｆに対応する位置において鋭いピークを持つように強度が分布していることからも、紫外線の強度は各開口部２４ａ〜２４ｆ内で均一に分布していないことがわかる。さらに、当該グラフからは、端面１４ａからの距離が遠くなるほど強度の減衰量が小さくなっていることから、端面１４ａからの各開口部２４ａ〜２４ｆの距離に応じて段階的に照射強度が減衰していないことがわかる。
【００５６】
次に、端面１４ａに最も近接する開口部２４ａを、端面１４ａから２５ｍｍ離れた位置に設けた場合の検討結果を、図５を参照して説明する。図５は、２５ｍｍの場合の検討結果を示す。図５の上段に示されるように、２５ｍｍの場合には、紫外線の強度は各開口部２４ａ〜２４ｆ内で均一に分布している。また、下段のグラフに示されているように、各開口部２４ａ〜２４ｆに対応する位置において、図４の場合よりもブロードに広がったピークを持つように強度が分布していることからも、紫外線の強度は各開口部２４ａ〜２４ｆ内で均一に分布していることがわかる。さらに、当該グラフからは、各開口部２４ａ〜２４ｆに対応する位置のピークが端面１４ａからの距離に応じて段階的に均等に小さくなっていることから、端面１４ａからの各開口部２４ａ〜２４ｆの距離に応じて段階的に均等に照射強度が減衰していることがわかる。
【００５７】
さらに、端面１４ａに最も近接する開口部２４ａを、端面１４ａから３０ｍｍ離れた位置に設けた場合の検討結果を、図６を参照して説明する。図６は、３０ｍｍの場合の検討結果を示す。図６の上段に示されるように、３０ｍｍの場合には、紫外線の強度は各開口部２４ａ〜２４ｆ内でより均一に分布している。また、下段のグラフに示されているように、各開口部２４ａ〜２４ｆに対応する位置において、図４及び図５の場合よりもブロードにより広がったピークを持つように強度が分布していることからも、紫外線の強度は各開口部２４ａ〜２４ｆ内で均一に分布していることがわかる。さらに、当該グラフからは、各開口部２４ａ〜２４ｆに対応する位置のピークが端面１４ａからの距離に応じて段階的に均等に小さくなっていることから、端面１４ａからの各開口部２４ａ〜２４ｆの距離に応じて段階的に均等に照射強度が減衰していることがわかる。
【００５８】
すなわち、以上の検討結果により、本実施形態に係る照射量測定具１０においては、紫外線発光ダイオード１６が設けられた端面１４ａに最も近接する開口部２４ａは、端面１４ａから２５ｍｍ以上離れるように設けられることが好ましいことがわかる。
【００５９】
＜中空導光管１２の厚みについて＞
以上、本実施形態に係る照射量測定具１０における、開口部２４の位置について説明した。続いて、図７を参照して、本実施形態に係る照射量測定具１０における、中空導光管１２の厚みについて説明する。図７は、中空導光管１２を長軸に沿って切断した際の開口部２４近傍を拡大した拡大断面図であって、詳細には、図７（ａ）は、中空導光管１２の厚みが厚い場合の断面図であり、図７（ｂ）は、中空導光管１２の厚みが薄い場合の断面図である。
【００６０】
ところで、先に説明したように、照射量測定具１０においては、適切に測定を実施するために、中空導光管１２に設けられた各開口部２４からの紫外線が各開口部２４内で均一な照射強度を持つことが求められている。
【００６１】
しかしながら、中空導光管１２の厚みが厚い場合には、図７（ａ）に示すように、開口部２４を通過する紫外線が開口部２４の側壁３０に到達し、側壁３０において一部が反射される。そして、側壁３０において反射された紫外線Ｒは、患者の皮膚である測定部位３２に到達する（側壁３０において反射される紫外線Ｒの経路は、図７（ａ）においては破線の矢印によって示されている）。従って、側壁３０によって反射されることなく開口部２４を通過する紫外線Ｄ（側壁３０によって反射されることなく開口部２４を通過する紫外線の経路は、図７（ａ）においては複数の実線の矢印によって示されている）の強度を開口部２４内で均一に、すなわち、測定部位３２内において均一になるように、中空導光管１２の設計を行った場合であっても、側壁３０において反射された紫外線Ｒが、反射されることなく開口部２４を通過する上記紫外線Ｄとともに開口部２４から出射されることにより、開口部２４内での照射強度の均一性が損なわれる。なお、このような側壁３０における紫外線の反射については、中空導光管１２の設計により制御することが難しい。
【００６２】
一方、本実施形態のように、中空導光管１２の厚みが薄い場合には、図７（ｂ）に示すように、開口部２４の側壁３０の面積が小さくなる。従って、たとえ紫外線が側壁３０に到達し、側壁３０において一部が反射されて、測定部位３２に到達した場合であっても、側壁３０の面積が小さいことから、ごくわずかな紫外線にみが側壁３０に反射される経路をたどるため、紫外線の開口部２４内での照射強度の均一性が大きく損なわれることはない。
【００６３】
そこで、本発明者は、中空導光管１２に設けられた各開口部２４ａ〜２４ｆからの紫外線が、各開口部２４ａ〜２４ｆ内で均一な照射強度を持つように、中空導光管１２の厚みについて、光学シミュレーションを用いて鋭意検討した。
【００６４】
詳細には、検討した照射量測定具１０に係る中空導光管１２ａは、先に説明した開口部２４の位置について検討した際に用いられたものと同様であり、紫外線発光ダイオード１６が設けられた端面１４ａに最も近接する開口部２４ａの位置については、端面１４ａからの距離にして２５ｍｍとした。また、中空導光管１２ａの厚みについては、０．７ｍｍ、０．５ｍｍ、０．３ｍｍとした、異なる３つの中空導光管１２ａを用いた。
【００６５】
以下、検討結果を図８から図１０を参照して説明する。図８から図１０は、本実施形態に係る照射量測定具１０において、中空導光管１２ａの厚みに対する、開口部２４内の照射強度の均一性を検討した検討結果を示す図である。詳細には、図８から図１０においては、その上段に、各開口部２４ａ〜２４ｆ内における紫外線の強度分布を模式的に色の濃淡で示した画像の写真が示され、その下段に、端面１４ａからの距離と各開口部２４ａ〜２４ｆから出射される紫外線強度の関係を示すグラフが示されている。また、当該グラフの横軸は、端面１４ａからの距離を示し、縦軸は紫外線強度を示す。
【００６６】
まず、中空導光管１２ａの厚みを０．７ｍｍとした場合の検討結果を、図８を参照して説明する。図８は、中空導光管１２ａの厚みを０．７ｍｍとした場合の検討結果を示す。図８の上段に示されるように、０．７ｍｍの場合には、紫外線の強度は各開口部２４ａ〜２４ｆ内で均一に分布していないことがわかる。また、下段のグラフに示されているように、各開口部２４ａ〜２４ｆに対応する位置において鋭いピークを持つように強度が分布していることからも、紫外線の強度は各開口部２４ａ〜２４ｆ内で均一に分布していないことがわかる。
【００６７】
次に、中空導光管１２ａの厚みを０．５ｍｍとした場合の検討結果を、図９を参照して説明する。図９は、０．５ｍｍの場合の検討結果を示す。図９の上段に示されるように、２５ｍｍの場合には、紫外線の強度は各開口部２４ａ〜２４ｆ内で均一に分布している。また、下段のグラフに示されているように、各開口部２４ａ〜２４ｆに対応する位置において、図８の場合よりもブロードに広がったピークを持つように強度が分布していることからも、紫外線の強度は各開口部２４ａ〜２４ｆ内で均一に分布していることがわかる。
【００６８】
さらに、中空導光管１２ａの厚みを０．３ｍｍとした場合の検討結果を、図１０を参照して説明する。図１０は、０．３ｍｍの場合の検討結果を示す。図１０の上段に示されるように、０．３ｍｍの場合には、紫外線の強度は各開口部２４ａ〜２４ｆ内でより均一に分布している。また、下段のグラフに示されているように、各開口部２４ａ〜２４ｆに対応する位置において、図８及び図９の場合よりもブロードにより広がったピークを持つように強度が分布していることからも、紫外線の強度は各開口部２４ａ〜２４ｆ内で均一に分布していることがわかる。
【００６９】
すなわち、以上の検討結果により、本実施形態に係る照射量測定具１０においては、中空導光管１２ａの厚みを０．５ｍｍ以下にすることが好ましいことがわかる。
【００７０】
＜照射量測定具１０を用いた測定方法＞
以上、本実施形態に係る照射量測定具１０における、中空導光管１２の厚みについて説明した。続いて、図１１を参照して、本実施形態に係る照射量測定具１０を用いた測定方法について説明する。図１１は、本実施形態に係る照射量測定具１０を用いた測定方法を説明するための説明図である。
【００７１】
まず、測定を開始するにあたり、医師は、図１１に示すように、患者の測定部位（図１１においては、比較的日光を受けていない患者の腕の内側の皮膚）に照射量測定具１０を載置する。その際、照射量測定具１０の照射面２８が測定部位に対向するように、照射量測定具１０を載置する。なお、医師は、必要に応じて、照射量測定具１０の載置前に、患者の測定部位に薬品等を事前に塗布してもよい。そして、医師は、照射量測定具１０の操作部（図示省略）に対して操作を行うことにより、所望の強度の紫外線を所定の時間、測定部位に照射することができる。照射の実施中、紫外線は各開口部２４（２６）を介して測定部位に照射されることとなる。
【００７２】
この際、照射量測定具１０は、従来の照射量測定具９０のように、シャッタをスライドさせて１個ずつ開口部を閉じていくような動作を行うことはない（図１２参照）。本実施形態の照射量測定具１０においては、先に説明したように、各開口部２４（２６）から出射される紫外線の照射強度は、開口部２４（２６）が端面１４ａから遠ざかるにつれ、段階的に均等に減少する（詳細には６段階）ようになっている。従って、シャッタを動作させて照射時間を段階的に変化させる必要はなく、同じ時間の間に各開口部２４（２６）から紫外線を照射するだけで、段階的に異なる照射量（照射強度と照射時間の積）の紫外線を測定部位に照射することができる。このように、本実施形態によれば、シャッタを設け必要がないことから、照射量測定具１０の構成をシンプル、且つ、小型化することができ、ひいては、照射量測定具１０の製造コストの上昇を抑えることができる。さらに、時間を計測し、計測時間に応じてシャッタをスライドさせて順次開口部を閉じる操作を人手によって行うこともないことから、計測及び操作のミスによる不正確な測定を避けることができる。
【００７３】
そして、照射終了後、医師は、照射量測定具１０を測定部位から取り除き、各開口部２４（２６）の下方に位置していた部位の皮膚の変色状態を観察することにより適正照射量を把握することができる。より具体的には、照射量に応じて皮膚の変色は変化する。変色した皮膚の色調を観察することにより、最小紅斑量及び最小光毒量に対応する紫外線照射量の求め、最終的には、治療に最適な紫外線照射量を把握することができる。
【００７４】
＜まとめ＞
本実施形態によれば、紫外線光源として、エキシマランプではなく、安価な紫外線発光ダイオード１６を用いることにより、照射量測定具１０の製造コストを抑えることができる。さらに、紫外線発光ダイオード１６は、表面温度をエキシマランプに比べて低く抑えることができることから、安全性が高く、照射量測定具１０を患者の皮膚上に載置する際に高度な注意が求められることがないため、照射量測定具１０の取り扱いを容易にすることができる。
【００７５】
また、本実施形態によれば、シャッタを手動でスライドさせるような操作が全く不要であるから、計時誤りや操作遅れ等による紫外線の照射量のバラツキを生じることがなく、その結果、正確な照射量の紫外線を測定部位に照射することができ、正確な測定及び判定を期することができる。
【００７６】
さらに、本実施形態によれば、手動式又は電動式のシャッタを設けることもないことから、照射量測定具１０の構造を、シンプル、且つ、小型化することはできる。その結果、照射量測定具１０の取扱の容易性を向上させ、さらには、照射量測定具１０の製造コストを抑えることが可能である。
【００７７】
また、従来技術の１つとして、測定部位に、紫外線の透過率が互いに異なる既知の値に設定された複数の透過領域を持つフィルムを貼付することで測定を実施する方法があり、当該方法は、取扱が容易であるという利点を有する。しかしながら、当該フィルムが紫外線によって劣化し、脆弱化することから、測定の正確性を担保するためには、当該フィルムを繰り返し使用することができない。それに対して、本実施形態によれば、照射量測定具１０を、金属材料等の紫外線によって劣化することが少ない材料から形成することが可能なことから、測定の正確性を担保しつつ、繰り返し使用することが可能である。
【００７８】
なお、上述の説明においては、紫外線治療にあたり必要とされる医学的指標（最小紅斑量、最小光毒量等）を測定するための紫外線治療用照射量測定具に適用した実施形態について説明したが、本実施形態は、他の波長領域の発光ダイオードを用いた照射量測定具に適用してもよい。
【００７９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８０】
１０、９０    照射量測定具
１２、１２ａ、１２ｂ    中空導光管
１４、１４ａ、１４ｂ、２０ａ、２０ｂ    端面
１６    紫外線発光ダイオード
１８    紫外線吸収体
２０    保護カバー
２２、２８、９４    照射面
２４、２４ａ〜２４ｋ、２６、２６ａ〜２６ｋ、９６、９６ａ〜９６ｊ    開口部
３０    側壁
３２    測定部位
９２    筐体
９８ａ、９８ｂ    シャッタ
【図１】
2018007884.tif 000003
【図２】
2018007884.tif 000004
【図３】
2018007884.tif 000005
【図４】
2018007884.tif 000006
【図５】
2018007884.tif 000007
【図６】
2018007884.tif 000008
【図７】
2018007884.tif 000009
【図８】
2018007884.tif 000010
【図９】
2018007884.tif 000011
【図１０】
2018007884.tif 000012
【図１１】
2018007884.tif 000013
【図１２】
2018007884.tif 000014